(57)【要約】【課題】誤動作を防止することのできるトランシーバ、及びデータ送信方法を提供する。【解決手段】入力信号群が正常であるか否かを判定する判定回路と、前記入力信号群を取得し、前記入力信号群に示される入力データを一時的にバッファ部に格納し、前記判定回路による判定結果が正常であった場合に、前記バッファ部から前記入力データを読み出して、前記入力データを含む信号を送信命令として生成し、前記判定回路による判定の結果が異常であった場合に、前記バッファ部に格納された前記入力データを破棄する制御回路と、前記送信命令に基づいて送信信号を生成し、前記送信信号を出力する送信回路とを具備する。【選択図】図１
2009260485.tif 000002
【特許請求の範囲】
【請求項１】
入力信号群が正常であるか否かを判定する判定回路と、
前記入力信号群を取得し、前記入力信号群に示される入力データを一時的にバッファ部に格納し、前記判定回路による判定結果が正常であった場合に、前記バッファ部から前記入力データを読み出して、前記入力データを含む信号を送信命令として生成し、前記判定回路による判定の結果が異常であった場合に、前記バッファ部に格納された前記入力データを破棄する制御回路と、
前記送信命令に基づいて送信信号を生成し、前記送信信号を出力する送信回路と、
を具備する
トランシーバ。
【請求項２】
請求項１に記載されたトランシーバであって、
前記入力信号群及び前記送信命令は、電気信号であり、
前記送信回路は、前記送信命令を光信号に変換して、前記送信信号として出力する
トランシーバ。
【請求項３】
請求項１に記載されたトランシーバであって、
前記入力信号群及び前記送信命令は、電気信号であり、
前記送信回路は、前記送信命令を無線信号に変換して、前記送信信号として出力する
トランシーバ。
【請求項４】
請求項２に記載されたトランシーバであって、
前記入力信号群に含まれる前記入力データは、ＰＯＮ（Ｐａｓｓｉｖｅ  ｏｐｔｉｃａｌ  ｎｅｔｗｏｒｋ）における加入者側端末により生成されたものであり、
前記送信回路は、前記送信信号を、前記加入者端末側から光ケーブルを介して前記ＰＯＮにおける局装置側に送信するように構成されている
トランシーバ。
【請求項５】
請求項１乃至４のいずれかに記載されたトランシーバであって、
更に、
警報出力信号を生成する警報装置
を具備し、
前記制御回路は、前記判定回路による判定結果が異常であった場合に、警報装置制御信号を生成して前記警報装置に通知し、
前記警報装置は、前記警報装置制御信号に基づいて、前記警報出力信号を生成する
トランシーバ。
【請求項６】
請求項１乃至５のいずれかに記載されたトランシーバであって、
前記判定回路は、前記入力信号群のマーク率が予め設定された規格範囲外であった場合に、異常であると判定する
トランシーバ。
【請求項７】
請求項１乃至６のいずれかに記載されたトランシーバであって、
前記入力信号群は、入力データを示す第１入力信号と、送信許可期間であるか送信禁止期間であるかを示す第２入力信号とを含む
トランシーバ。
【請求項８】
請求項７に記載されたトランシーバであって、
前記判定回路は、前記第２入力信号が予め設定された一定時間以上、不定区間が続いた場合に、異常であると判定する
トランシーバ。
【請求項９】
請求項１乃至８のいずれかに記載されたとトランシーバであって、
前記判定回路は、前記入力信号群の電圧レベルに基づいて、正常であるか異常であるかを判定する
トランシーバ。
【請求項１０】
請求項１乃至９のいずれかに記載されたトランシーバと、
前記入力信号群を生成して前記トランシーバに送信するトランシーバ制御装置と
を具備する
トランシーバシステム。
【請求項１１】
入力信号群が正常であるか否かを判定するステップと、
前記入力信号群を取得し、前記入力信号群に示される入力データを一時的にバッファ部に格納するステップと、
前記判定するステップにおける判定結果が正常であった場合に、前記バッファ部から前記入力データを読み出して、前記入力データを含む信号を送信命令として生成するステップと、
前記判定回路による判定の結果が異常であった場合に、前記バッファ部に格納された前記入力データを破棄するステップと、
前記送信命令に基づいて送信信号を生成し、前記送信信号を出力するステップと、
を具備する
データ送信方法。
【請求項１２】
請求項１１に記載されたデータ送信方法であって、
前記入力信号群及び前記送信命令は、電気信号であり、
前記送信信号を出力するステップは、前記送信命令を光信号に変換し、前記送信信号として出力するステップを含んでいる
データ送信方法。
【請求項１３】
請求項１１に記載されたデータ送信方法であって、
前記入力信号群及び前記送信命令は、電気信号であり、
前記送信信号を出力するステップは、前記送信命令を無線信号に変換し、前記送信信号として出力するステップを含んでいる
データ送信方法。
【請求項１４】
請求項１２に記載されたデータ送信方法であって、
更に、
ＰＯＮ（Ｐａｓｓｉｖｅ  ｏｐｔｉｃａｌ  ｎｅｔｗｏｒｋ）における加入者側端末により生成された信号に基づいて、前記入力信号群を生成するステップ、
を具備し、
前記送信信号を出力するステップは、前記送信信号を、前記加入者端末側から光ケーブルを介して前記ＰＯＮにおける局装置側に送信するステップを含んでいる
データ送信方法。
【請求項１５】
請求項１１乃至１４のいずれかに記載されたデータ送信方法であって、
更に、
前記判定するステップによる判定結果が異常であった場合に、警報装置制御信号を生成するステップと、
前記警報装置制御信号に基づいて、警報装置を駆動するステップと、
を具備する
データ送信方法。
【請求項１６】
請求項１１乃至１５のいずれかに記載されたデータ送信方法であって、
前記判定するステップは、前記入力信号群のマーク率が予め設定された規格範囲外であった場合に、異常であると判定するステップを含んでいる
データ送信方法。
【請求項１７】
請求項１１乃至１６のいずれかに記載されたデータ送信方法であって、
前記入力信号群は、入力データを示す第１入力信号と、送信許可期間であるか送信禁止期間であるかを示す第２入力信号とを含んでいる
データ送信方法。
【請求項１８】
請求項１７に記載されたデータ送信方法であって、
前記判定するステップは、前記第２入力信号のレベルが予め設定された一定時間以上、不定区間が続いた場合に、異常であると判定するステップを含んでいる
データ送信方法。
【請求項１９】
請求項１１乃至１８のいずれかに記載されたとデータ送信方法であって、
前記判定するステップは、前記入力信号群の電圧レベルに基づいて、正常であるか異常であるかを判定するステップを含んでいる
データ送信方法。
【発明の詳細な説明】
【技術分野】
【０００１】
本発明は、トランシーバ及びデータ送信方法に関し、特に光トランシーバ及びそのデータ送信方法に関する。
【背景技術】
【０００２】
無線信号や光信号により、通信網と端末間でデータ通信を行う場合、端末側にはデータ入出力口としてトランシーバが取り付けられる。トランシーバは、端末側で生成された電気信号を、無線信号や光信号などに変換して通信網側へ送信する。また、通信網側で生成された無線信号や光信号など受信すると、電気信号に変換して端末側に通知する。
【０００３】
そのようなトランシーバの中でも、光信号と電気信号との変換を行う光トランシーバに対しては、小型化、高密度化が要求されている。また、統一規格であるＭＳＡ（Ｍｕｌｔｉ  Ｓｏｕｒｃｅ  Ａｇｒｅｅｍｅｎｔ）に準拠する場合には、物理的な大きさも決められる。光トランシーバの製造過程には、人が半田付けする工程が多く含まれる。小型化の要求に伴い、半田付けを行う対象も小さくなってきており、半田付けされるチップ部品や部品間隔が小さくなってきている。人手による半田付けの精度には限界があり、抵抗の誤実装などが発生する割合が増えている。また、部品の小型化に伴い、ノイズが回り込みやすくなる傾向にある。これらのことから、光トランシーバの誤動作を防止する技術が求められている。
【０００４】
光信号を利用したデータ通信に関連して、特許文献１（特開２０００−３６８２８号公報）には、局側での制御を複雑化させることなく、音声通信及びデータ通信を同一ＰＯＮシステムで並列して同時に実現することを目的とした、光加入者系システムが開示されている。
【０００５】
誤動作を防止する技術に関連して、特許文献２（特開平９−１６２８１１号公報）には、レーザダイオードの温度特性とそれを駆動制御する回路の温度特性の相違による消光不良や発光遅延を解消することを目的とした技術が開示されている。
【０００６】
誤動作を防止する技術に関連して、特許文献３（特開平５−７５５４７号公報）には、光送信器の入力信号が断、無入力開放あるいは規定入力信号ハイレベル以上の過大な直流信号となった場合、半導体レーザ駆動回路から半導体レーザへの駆動電流の供給を遮断し、半導体レーザ出射光の発光を禁止させることが記載されている。
【０００７】
【特許文献１】特開２０００−３６８２８号公報
【特許文献２】特開平９−１６２８１１号公報
【特許文献３】特開平５−７５５４７号公報
【発明の開示】
【発明が解決しようとする課題】
【０００８】
本発明の目的は、誤動作を防止することのできるトランシーバ、及びデータ送信方法を提供することにある。
【課題を解決するための手段】
【０００９】
本発明に係るトランシーバは、入力信号群が正常であるか否かを判定する判定回路と、その入力信号群を取得し、前記入力信号群に示される入力データを一時的にバッファ部に格納し、その判定回路による判定結果が正常であった場合に、前記バッファ部から前記入力データを読み出して、前記入力データを含む信号を送信命令として生成し、前記判定回路による判定の結果が異常であった場合に、前記バッファ部に格納された前記入力データを破棄する制御回路と、前記送信命令に基づいて送信信号を生成し、前記送信信号を出力する送信回路とを具備する。
【００１０】
本発明に係るトランシーバシステムは、上記のトランシーバと、前記入力信号群を生成して前記トランシーバに送信するトランシーバ制御装置とを具備する。
【００１１】
本発明に係るデータ送信方法は、入力信号群が正常であるか否かを判定するステップと、
前記入力信号群を取得し、前記入力信号群に示される入力データを一時的にバッファ部に格納するステップと、前記判定するステップにおける判定結果が正常であった場合に、前記バッファ部から前記入力データを読み出してて、前記入力データを含む信号を送信命令として生成するステップと、前記判定回路による判定の結果が異常であった場合に、前記バッファ部に格納された前記入力データを破棄するステップと、前記送信命令に基づいて送信信号を生成し、前記送信信号を出力するステップとを具備する。
【００１２】
本発明の他の形態に係るトランシーバは、入力信号群が正常であるか否かを判定する判定回路と、前記入力信号群を取得し、前記判定回路による判定結果が正常であった場合に、前記入力信号群に基づいて送信命令を生成し、前記判定回路による判定の結果が異常であった場合に、前記入力信号群を破棄する制御回路と、前記送信命令に基づいて送信信号を生成し、前記送信信号を出力する送信回路とを具備する。
【発明の効果】
【００１３】
本発明によれば、誤動作を防止することのできるトランシーバ、及びデータ送信方法が提供される。
【発明を実施するための最良の形態】
【００１４】
（第１の実施形態）
図面を参照しつつ、本発明の第１の実施形態について説明する。
【００１５】
図１は、本実施形態に係る光トランシーバシステムの構成を示す概略構成図である。この光トランシーバシステムは、光ファイバー１５を介して局装置に接続されている。また、光トランシーバシステムは、コンピュータなどに例示される加入者端末にも接続されている。この光トランシーバシステムは、ＰＯＮ（ｐａｓｓｉｖｅ  ｏｐｔｉｃａｌ  Ｎｅｔｗｏｒｋ）システムにより、加入者端末と局装置との間でデータ通信を行うように構成されている。ＰＯＮシステムでは、一つの局装置に対して、複数の加入者端末がアクセス可能に接続されている。その局装置は、複数の加入者端末の各々に対して、信号の送信を許容する時間帯を割り当てる。その時間帯は、複数の加入者端末間で重複しないように割り当てられる。これにより、局装置側では、送られてきた信号がどの加入者端末によるものであるのかを識別できる。このようなＰＯＮシステムにおいて、光トランシーバシステムが誤動作すると、信号が許容されていない時間帯であっても信号が送信されてしまう可能性がある。誤動作により送信された信号が、他の加入者端末から送信された信号と重複すると、ＰＯＮシステム全体が機能しなくなる可能性がある。従って、光トランシーバシステムの誤動作をより確実に防止することが求められる。
【００１６】
以下に、光トランシーバシステムの構成について詳述する。図１に示されるように、光トランシーバシステムは、光トランシーバ１と、光トランシーバ１を制御する光トランシーバ制御装置２とを備えている。
【００１７】
光トランシーバ制御装置２は、加入者端末に接続されている。光トランシーバ制御装置２は、加入者端末から入力データを受け取ると、その入力データを含む第１入力信号aを生成する。そして、第１入力信号ａを光トランシーバ１に通知する。また、光トランシーバ制御装置２は、第２入力信号ｂを生成して光トランシーバ１に通知する。第２入力信号ｂは、データ送信の許容された時間帯であるのか、データ送信の禁止された時間であるのかを示す信号である。図示していないが、光トランシーバ制御装置２には、局装置側から通知される割り当て情報に基づいて、データ送信の許容された時間帯を識別することができる。
【００１８】
光トランシーバ１は、制御回路１１と、判定回路１２と、バッファ部１３と、送信回路１４と、警報装置１６と、第１入力信号終端回路１７と、第２信号終端回路１８とを備えている。
【００１９】
第１入力信号終端回路１７は、光トランシーバ制御装置２に接続されている。第１入力信号終端回路１７は、光トランシーバ制御装置２から通知された第１入力信号ａを、電気信号として、判定回路１２及び制御回路１１に供給する。
第２入力信号終端回路１８も、光トランシーバ制御装置２に接続されており、第２入力信号ｂを、電気信号として判定回路１２及び制御回路１１に供給する。
【００２０】
判定回路１２は、第１入力信号ａ及び第２入力信号ｂが、正常であるか異常であるかを判定する回路である。判定回路１２は、判定の結果を、判定信号ｃとして制御回路１１に通知する。
【００２１】
バッファ部１３は、一時的に入力データを記憶しておくためのものであり、メモリや遅延回路などにより構成することができる。
【００２２】
制御回路１１は、第１入力信号ａ及び第２入力信号ｂに基づいて、送信命令ｅを生成し、送信回路１４に通知する回路である。ここで、制御回路１１は、第１入力信号ａに含まれる入力データを一時的にバッファ部１３に格納する。そして、判定回路１２から取得した判定信号ｃが正常を示す信号であった場合に、バッファ部１３から入力データを読み込んで、入力データを含む電気信号を生成する。生成された電気信号は、送信命令ｅとして送信回路１４に通知される。一方、判定信号ｃが異常を示す信号であった場合には、バッファ部１３に格納された入力データを破棄するとともに、警報装置制御信号ｇを生成して警報装置１６に通知する。
【００２３】
送信回路１４は、送信駆動回路１４−１と、レーザーダイオード１４−２とを備えている。送信駆動回路１４−１は、レーザーダイオード１４−２に電力を加えてレーザーダイオード１４−２を発光させるように構成されている。送信駆動回路１４−１は、電気信号である送信命令ｅに基づいて、レーザーダイオード１４−２を発光させる。レーザーダイオード１４−２は、光ファイバー１５に接続されている。レーザーダイオード１４−２による発光は、光信号として、光ファイバー１５を介して局装置側に送信される。
【００２４】
警報装置１６は、制御回路１１から通知される警報装置制御信号ｇに基づいて警報出力信号ｈを生成し、光トランシーバ制御装置１に送信する。
【００２５】
続いて、上述の光トランシーバシステムの動作について説明する。
【００２６】
まず、加入者端末が局装置側へ送信する入力データを生成するとする。生成された入力データは、光トランシーバ制御装置２に通知される。
【００２７】
光トランシーバ制御装置２は、通知された入力データを含む第１入力信号aを生成し、光トランシーバ１に送信する。また、光トランシーバ制御装置２は、送信許可期間であるのか送信禁止期間であるのかを示す第２入力信号bを生成して、光トランシーバ１に通知している。
【００２８】
光トランシーバ１では、第１入力信号a及び第２入力信号ｂが、制御回路１１及び判定回路１２に供給される。
【００２９】
制御回路１１は、取得した第１入力信号aに含まれる入力データを、一時的にバッファ部１３に格納する。
【００３０】
一方、判定回路１２は、第１入力信号a及び第２入力信号ｂが正常であるか異常であるのかを判定する。
具体的には、判定回路１２は、第１入力信号a及び第２入力信号ｂのマーク率を、予め設定された規格範囲と比較し、規格範囲外であった場合に異常であると判定する。
また、判定回路１２は、第１入力信号a及び第２入力信号ｂが、予め設定された所定時間以上、不定区間を示した場合に、異常であると判定する。ここで、不定区間とは、信号レベルの判定の際に用いられるハイレベル側の閾値とローレベル側の閾値との間の区間を示す。すなわち、判定回路１２は、ハイレベルであるのかローレベルであるのか判定できない期間が所定時間以上続いた場合に、異常であると判定する。
また、ＰＯＮシステムでは、一の加入者端末において、送信許容期間と送信禁止期間とは周期的に切り替わることになる。すなわち、正常であれば、第２入力信号ｂのレベルは、周期的に異なるレベルに切り替わる。従って、判定回路１２は、第２入力信号ｂが、一定時間以上、同じレベルを示している場合には、異常であると判定する。
また、判定回路１２は、ノイズ等により、第１入力信号a及び第２入力信号の電圧レベルを監視し、ノイズによる瞬間的な電圧レベルの変動が存在した場合にも、異常であると判定する。
また、判定回路１２は、第１入力信号a及び第２入力信号の電圧レベルを監視しておき、その電圧レベルが予め設定された範囲を外れた場合にも、過電圧又は振幅不足であると判断し、異常であると判定する。
【００３１】
判定回路１２は、判定の結果を示す判定信号ｃを生成して制御回路１１に通知する。
【００３２】
判定信号ｃが正常を示す信号である場合、制御回路１１は、バッファ部１３に格納された入力データを読み出す。そして、入力データを含む送信命令eを生成する。第２入力信号ｂが送信許容期間を示している場合、制御回路１１は、即座に送信命令eを送信回路１４に発行する。第２入力信号ｂが送信禁止期間を示している場合、制御回路１１は、送信許容期間になった後に、送信命令eを送信回路１４に発行する。送信命令eを取得した送信回路１４では、送信側駆動回路１４−１がレーザーダイオード１４−２を駆動し、入力データを示す光信号を生成させる。生成した光信号は、光ファイバー１５を介して局装置へ送信（出力）される。
【００３３】
一方、判定信号ｃが異常を示す信号である場合、制御回路１１は、バッファ部１３に格納した入力データを破棄する。そして、警報装置制御信号ｇを生成して、警報装置１６に通知する。警報装置１６は、警報装置制御信号ｇに基づいて、警報出力信号ｈを生成し、光トランシーバ制御装置２側に通知する。光トランシーバ制御装置２は、警報出力信号ｈを更に加入者端末に通知し、ユーザに異常であることを通知する。
【００３４】
本実施形態によれば、制御回路１１が一端入力信号群（第１入力信号及び第２入力信号）に含まれる入力データをバッファ部１３に格納し、異常な信号であった場合には、入力データが破棄される。従って、光トランシーバ１の誤動作が防止される。
【００３５】
またこの際、バッファ部１３に一時的に入力データが格納されるので、入力信号が異常であるか正常であるのかの判定に時間を要したとしても、光トランシーバ制御装置２側から入力信号を再入力する必要がない。
【００３６】
また、光トランシーバ１が警報装置１６を備えていることにより、入力信号が異常な信号であった場合に、異常な信号が入力された旨を光トランシーバ制御装置２側へ通知することが可能である。これにより、光トランシーバ１に異常があるのか、光トランシーバ制御装置２側に異常が存在するのかが容易に判断でき、故障発生時に不良箇所を容易に特定することが可能となる。
【００３７】
また、光トランシーバの製造工程では、終端回路（１７、１８）に、終端抵抗が半田付けにより実装されることがある。この終端抵抗における半田付けが不十分である場合、製造時には電気的に正常であったとしても、時間が経過したときにＯＰＥＮなどの状態となることが考えられる。本実施形態によれば、万が一、製造時には導通しておりＰＯＮシステムに組み込まれた後にＯＰＥＮになってしまったとしても、制御回路１１が誤動作を防止するので、ＰＯＮシステム全体の信頼性を高めることができる。
【００３８】
（第２の実施形態）
続いて、本発明の第２の実施形態について説明する。図２は、本実施形態に係る光トランシーバシステムを示す概略構成図である。本実施形態では、第１の実施形態と比較して、バッファ部１３が省略されている。その他の構成については、第１の実施形態と同様とすることができるので、詳細な説明は省略する。
【００３９】
本実施形態では、制御回路１１は、第２入力信号ｂが送信許容期間を示す場合、第１入力信号aをリアルタイムで送信命令eに変換し、送信回路１４に供給する。従って、送信回路１４は、リアルタイムで発光することになる。但し、制御回路１１は、判定回路１２から異常状態である判定信号ｃが通知された場合、その時点で送信命令eの発行を中断し、発光を止めさせる。
【００４０】
本実施形態によれば、入力信号が異常である場合、初期的には誤発光が生じてしまう可能性があるものの、判定回路１２による判定の結果によって送信命令の発行が中断される。従って、誤動作期間を最小限に留めることができる。
【００４１】
（第３の実施形態）
続いて、本発明の第３の実施形態について説明する。図３は、本実施形態に係る無線トランシーバシステムを示す概略構成図である。既述の実施形態では、電気信号を光信号に変換する光トランシーバについて説明したのに対し、本実施形態の無線トランシーバでは、電気信号が無線信号に変換されて送信される。すなわち、本実施形態の無線トランシーバは、送信回路１４にアンテナ１４−３が備えられている。その他の点については、第１の実施形態と同様とすることができるので、詳細な説明は省略される。
【００４２】
本実施形態では、送信側駆動回路１４−１が、電気信号である送信命令eを取得すると、アンテナ１４−３を駆動して無線信号を送信させる。本実施形態によっても、第１の実施形態と同様に、入力信号が異常である場合に、誤動作により無線信号が送信されてしまうことが防止される。
【００４３】
このように、本発明は、光データ通信に用いられる光トランシーバシステムに限定されるものではなく、無線信号の送受信を行う無線トランシーバに対しても適用することが可能である。
【図面の簡単な説明】
【００４４】
【図１】第１の実施形態に係る光トランシーバシステムを示す概略構成図である。
【図２】第２の実施形態に係る光トランシーバシステムを示す概略構成図である。
【図３】第３の実施形態に係る無線トランシーバシステムを示す概略構成図である。
【符号の説明】
【００４５】
１  光トランシーバ
２  光トランシーバ制御装置
３  トランシーバ
４  トランシーバ制御装置
１１  制御回路
１２  判定回路
１３  バッファ部
１４  送信回路
１４−１  送信駆動回路
１４−２  レーザーダイオード
１４−３  アンテナ
１５  光ファイバ
１６  警報装置
１７  第１入力信号配線の終端回路
１８  第２入力信号配線の終端回路
ａ  第１入力信号
ｂ  第２入力信号
ｃ  判定結果信号
ｄ  データ信号
ｅ  送信命令
ｇ  警報装置制御信号
ｈ  警報出力信号
ｉ  無線信号
【図１】
2009260485.tif 000003
【図２】
2009260485.tif 000004
【図３】
2009260485.tif 000005